(57)【特許請求の範囲】
【請求項１】
視環境を示す環境情報に基づき、画像を補正して表示する画像表示システムであって、
第１の階調のキャリブレーション画像を表示するとともに、前記第１の階調とは異なる階調の第２の階調のキャリブレーション画像を表示する補正表示手段と、
表示された前記第１および第２の階調のキャリブレーション画像並びに通常の画像の被表示領域およびその周辺の表示外領域をセンシングし、それぞれ第１の環境情報、第２の環境情報、第３の環境情報として出力するセンサー手段と、
前記第１の環境情報と前記第２の環境情報との差異に基づき、前記被表示領域と、前記表示外領域とを判別する領域判別手段と、
前記表示外領域の前記第１または第２の環境情報を、初期環境情報として記憶するとともに、前記表示外領域の前記第３の環境情報と前記初期環境情報との差異に基づき、視環境の変化に伴う明るさの変化を示す明るさ変化情報を導出する明るさ変化導出手段と、
理想環境での前記第１および第２の階調のキャリブレーション画像の表示時の被表示領域の各画素の平均輝度値と、前記第１および第２の環境情報に基づく実際の環境での前記第１および第２の階調のキャリブレーション画像の表示時の被表示領域の各画素の平均輝度値とに基づき、階調補正パラメータを導出する階調補正パラメータ導出手段と、
当該階調補正パラメータに基づき、画像の明るさを補正するための補正用データを生成する補正用データ生成手段と、
を含み、
所定の時間が経過した時点または前記第３の環境情報に所定の変化があった時点で、前記階調補正パラメータ導出手段は、前記明るさ変化情報に基づき、前記階調補正パラメータを再導出し、
前記補正用データ生成手段は、当該補正パラメータに基づき、前記補正用データを再生成し、
前記補正表示手段は、前記補正用データに基づき画像を補正して表示することを特徴とする画像表示システム。
【請求項２】
請求項１において、
前記明るさ変化導出手段は、前記表示外領域として、前記被表示領域の上部の表示外領域を用いることを特徴とする画像表示システム。
【請求項３】
請求項１、２のいずれかにおいて、
前記補正表示手段と、
前記センサー手段と、
前記領域判別手段と、
前記明るさ変化導出手段と、
前記階調補正パラメータ導出手段と、
前記補正用データ生成手段と、
を含む投写型表示装置として形成されたことを特徴とする画像表示システム。
【請求項４】
視環境を示す環境情報に基づき、画像を補正して表示するためのプログラムであって、
コンピュータを、
第１の階調のキャリブレーション画像を画像表示手段に表示させるとともに、前記第１の階調とは異なる階調の第２の階調のキャリブレーション画像を画像表示手段に表示させる表示制御手段と、
表示された前記第１および第２の階調のキャリブレーション画像並びに通常の画像の被表示領域およびその周辺の表示外領域をセンサー手段にセンシングさせ、それぞれ第１の環境情報、第２の環境情報、第３の環境情報として前記センサー手段に出力させるセンサー制御手段と、
前記第１の環境情報と前記第２の環境情報との差異に基づき、前記被表示領域と、前記表示外領域とを判別する領域判別手段と、
前記表示外領域の前記第１または第２の環境情報を、初期環境情報として記憶するとともに、前記表示外領域の前記第３の環境情報と前記初期環境情報との差異に基づき、視環境の変化に伴う明るさの変化を示す明るさ変化情報を導出する明るさ変化導出手段と、
理想環境での前記第１および第２の階調のキャリブレーション画像の表示時の被表示領域の各画素の平均輝度値と、前記第１および第２の環境情報に基づく実際の環境での前記第１および第２の階調のキャリブレーション画像の表示時の被表示領域の各画素の平均輝度値とに基づき、階調補正パラメータを導出する階調補正パラメータ導出手段と、
当該階調補正パラメータに基づき、画像の明るさを補正するための補正用データを生成する補正用データ生成手段として機能させ、
所定の時間が経過した時点または前記第３の環境情報に所定の変化があった時点で、前記階調補正パラメータ導出手段は、前記明るさ変化情報に基づき、前記階調補正パラメータを再導出し、
前記補正用データ生成手段は、当該補正パラメータに基づき、前記補正用データを再生成し、
前記表示制御手段は、前記補正用データに基づき画像を補正して前記画像表示手段に表示させることを特徴とするプログラム。
【請求項５】
請求項４において、
前記明るさ変化導出手段は、前記表示外領域として、前記被表示領域の上部の表示外領域を用いることを特徴とするプログラム。
【請求項６】
コンピュータにより読み取り可能な情報記憶媒体であって、
請求項４、５のいずれかに記載の手段としてコンピュータを機能させるためのプログラムを記憶したことを特徴とする情報記憶媒体。
【請求項７】
視環境を示す環境情報に基づき、前記画像を補正するための画像処理方法であって、
第１の階調のキャリブレーション画像を表示する工程と、
表示されたキャリブレーション画像をセンシングして第１の環境情報として出力する工程と、
前記第１の階調とは異なる階調の第２の階調のキャリブレーション画像を表示する工程と、
表示されたキャリブレーション画像をセンシングして第２の環境情報として出力する工程と、
前記第１および第２の環境情報の差異に基づき、前記被表示領域と、前記表示外領域とを判別する工程と、
表示外領域の前記第１または第２の環境情報を初期環境情報として所定の記憶領域に記憶する工程と、
理想環境での前記第１および第２の階調のキャリブレーション画像の表示時の被表示領域の各画素の平均輝度値と、実際の環境での前記第１および第２の階調のキャリブレーション画像の表示時の被表示領域の各画素の平均輝度値とに基づき、階調補正パラメータを導出する工程と、
当該階調補正パラメータに基づき、補正用データを生成する工程と、
当該補正用データに基づき、画像データを補正して通常の画像を表示する工程と、
表示された通常の画像をセンシングして第３の環境情報として出力する工程と、
を含み、
所定の時間が経過した時点または前記第３の環境情報に所定の変化があった時点で、通常の画像の表示時の表示外領域の第３の環境情報と前記初期環境情報とに基づき、視環境の変化に伴う明るさの変化を示す明るさ変化情報を導出し、
当該明るさ変化情報に基づき、前記階調補正パラメータを再導出し、
当該補正パラメータに基づき、前記補正用データを再生成し、
当該補正用データに基づき、画像データを補正して表示することを特徴とする画像処理方法。
【請求項８】
請求項７において、
前記表示外領域は、前記被表示領域の上部の表示外領域であることを特徴とする画像処理方法。
【発明の詳細な説明】
【０００１】
【発明の属する技術分野】
本発明は、環境光の影響を考慮して画像を補正して表示する画像表示システム、プログラム、情報記憶媒体および画像処理方法に関する。
【０００２】
【背景技術および発明が解決しようとする課題】
照明光や外光等の環境光の影響を考慮して、プレゼンテーション等の実行前にキャリブレーション（校正用）画像を表示し、表示されたキャリブレーション画像をセンサーでセンシング（測定）して視環境を把握し、画像を補正して表示している。
【０００３】
しかし、例えば、プレゼンテーションの実行前に一旦キャリブレーションを行っても、プレゼンテーションの実行時に照明光や外光等の環境光が変化することによって視環境が変化してしまい、プレゼンテーションの実行中に画像の見え方が変わってしまう場合があった。
【０００４】
このような場合、プレゼンテーションを実行中であるため、プレゼンターは、プレゼンテーション画像の表示を中断してキャリブレーション画像を表示することはできず、不適切な補正のまま画像を表示していた。
【０００５】
このため、プレゼンテーション画像を見ている者が、画像の暗い部分がつぶれていることや、画像の色が薄くなっていることを感じてしまい、画像が見づらくなってしまう場合があった。
【０００６】
本発明は、上記課題に鑑みなされたものであり、環境光の影響を考慮して画像を補正して表示する場合に、通常の画像表示を中断することなく、キャリブレーションを実行することが可能な画像表示システム、プログラム、情報記憶媒体および画像処理方法を提供することにある。
【０００７】
【課題を解決するための手段】
上記課題を解決するため、本発明に係る画像表示システムは、視環境を示す環境情報に基づき、画像を補正して表示する画像表示システムであって、
第１の階調のキャリブレーション画像を表示するとともに、前記第１の階調とは異なる階調の第２の階調のキャリブレーション画像を表示する補正表示手段と、
表示された前記第１および第２の階調のキャリブレーション画像並びに通常の画像の被表示領域およびその周辺の表示外領域をセンシングし、それぞれ第１の環境情報、第２の環境情報、第３の環境情報として出力するセンサー手段と、
前記第１の環境情報と前記第２の環境情報との差異に基づき、前記被表示領域と、前記表示外領域とを判別する領域判別手段と、
前記表示外領域の前記第１または第２の環境情報を、初期環境情報として記憶するとともに、前記第３の環境情報と前記初期環境情報との差異に基づき、視環境の変化に伴う明るさの変化を示す明るさ変化情報を導出する明るさ変化導出手段と、
理想環境での前記第１および第２の階調のキャリブレーション画像の表示時の被表示領域の各画素の平均輝度値と、前記第１および第２の環境情報に基づく実際の環境での前記第１および第２の階調のキャリブレーション画像の表示時の被表示領域の各画素の平均輝度値とに基づき、階調補正パラメータを導出する階調補正パラメータ導出手段と、
当該階調補正パラメータに基づき、画像の明るさを補正するための補正用データを生成する補正用データ生成手段と、
を含み、
所定の時間が経過した時点または前記第３の環境情報に所定の変化があった時点で、前記階調補正パラメータ導出手段は、前記明るさ変化情報に基づき、前記階調補正パラメータを再導出し、
前記補正用データ生成手段は、当該補正パラメータに基づき、前記補正用データを再生成し、
前記補正表示手段は、前記補正用データに基づき画像を補正して表示することを特徴とする。
【０００８】
また、本発明に係るプログラムは、視環境を示す環境情報に基づき、画像を補正して表示するためのプログラムであって、
コンピュータを、
第１の階調のキャリブレーション画像を画像表示手段に表示させるとともに、前記第１の階調とは異なる階調の第２の階調のキャリブレーション画像を画像表示手段に表示させる表示制御手段と、
表示された前記第１および第２の階調のキャリブレーション画像並びに通常の画像の被表示領域およびその周辺の表示外領域をセンサー手段にセンシングさせ、それぞれ第１の環境情報、第２の環境情報、第３の環境情報として前記センサー手段に出力させるセンサー制御手段と、
前記第１の環境情報と前記第２の環境情報との差異に基づき、前記被表示領域と、前記表示外領域とを判別する領域判別手段と、
前記表示外領域の前記第１または第２の環境情報を、初期環境情報として記憶するとともに、前記第３の環境情報と前記初期環境情報との差異に基づき、視環境の変化に伴う明るさの変化を示す明るさ変化情報を導出する明るさ変化導出手段と、
理想環境での前記第１および第２の階調のキャリブレーション画像の表示時の被表示領域の各画素の平均輝度値と、前記第１および第２の環境情報に基づく実際の環境での前記第１および第２の階調のキャリブレーション画像の表示時の被表示領域の各画素の平均輝度値とに基づき、階調補正パラメータを導出する階調補正パラメータ導出手段と、
当該階調補正パラメータに基づき、画像の明るさを補正するための補正用データを生成する補正用データ生成手段として機能させ、
所定の時間が経過した時点または前記第３の環境情報に所定の変化があった時点で、前記階調補正パラメータ導出手段は、前記明るさ変化情報に基づき、前記階調補正パラメータを再導出し、
前記補正用データ生成手段は、当該補正パラメータに基づき、前記補正用データを再生成し、
前記表示制御手段は、前記補正用データに基づき画像を補正して前記画像表示手段に表示させることを特徴とする。
【０００９】
また、本発明に係る情報記憶媒体は、コンピュータにより読み取り可能な情報記憶媒体であって、コンピュータを、上記手段として機能させるためのプログラムを記憶したことを特徴とする。
【００１０】
本発明によれば、被表示領域と表示外領域とを判別し、表示外領域の明るさの変化に応じて明るさの補正用データを補正することにより、プレゼンテーション等の実行中においても、プレゼンテーション画像等の通常の画像の表示を中断したり、キャリブレーション画像を表示することなく、視環境の変化に応じて適切な明るさの画像を表示することができる。
【００１１】
なお、前記差異としては、例えば、差分、比率等が該当する。また、前記補正用データとしては、例えば、１次元ルックアップテーブル（1D-LUT）、マトリックス等が該当する。
【００１２】
また、前記画像表示システム、前記プログラムおよび前記情報記憶媒体において、前記明るさ変化導出手段は、前記表示外領域として、前記被表示領域の上部の表示外領域を用いてもよい。
【００１３】
これによれば、プレゼンターの手等が位置することの少ない被表示領域の上部の表示外領域を用いることにより、ノイズの影響を低減し、より正確に明るさの補正を行うことができる。
【００１４】
また、前記画像表示システムは、前記補正表示手段と、
前記センサー手段と、
前記領域判別手段と、
前記明るさ変化導出手段と、
前記階調補正パラメータ導出手段と、
前記補正用データ生成手段と、
を含む投写型表示装置として形成されてもよい。
【００１５】
これによれば、環境光の影響を受けやすい投写型表示装置を用いる場合に、通常の画像の投写を中断することなく、適切に画像の明るさを補正することができる。
【００１６】
また、本発明に係る画像処理方法は、視環境を示す環境情報に基づき、前記画像を補正するための画像処理方法であって、
第１の階調のキャリブレーション画像を表示する工程と、
表示されたキャリブレーション画像をセンシングして第１の環境情報として出力する工程と、
前記第１の階調とは異なる階調の第２の階調のキャリブレーション画像を表示する工程と、
表示されたキャリブレーション画像をセンシングして第２の環境情報として出力する工程と、
前記第１および第２の環境情報の差異に基づき、前記被表示領域と、前記表示外領域とを判別する工程と、
表示外領域の前記第１または第２の環境情報を初期環境情報として所定の記憶領域に記憶する工程と、
理想環境での前記第１および第２の階調のキャリブレーション画像の表示時の被表示領域の各画素の平均輝度値と、実際の環境での前記第１および第２の階調のキャリブレーション画像の表示時の被表示領域の各画素の平均輝度値とに基づき、階調補正パラメータを導出する工程と、
当該階調補正パラメータに基づき、補正用データを生成する工程と、
当該補正用データに基づき、画像データを補正して通常の画像を表示する工程と、
表示された通常の画像をセンシングして第３の環境情報として出力する工程と、
を含み、
所定の時間が経過した時点または前記第３の環境情報に所定の変化があった時点で、通常の画像の表示時の表示外領域の第３の環境情報と前記初期環境情報とに基づき、視環境の変化に伴う明るさの変化を示す明るさ変化情報を導出し、
当該明るさ変化情報に基づき、前記階調補正パラメータを再導出し、
当該補正パラメータに基づき、前記補正用データを再生成し、
当該補正用データに基づき、画像データを補正して表示することを特徴とする。
【００１７】
本発明によれば、被表示領域と表示外領域とを判別し、表示外領域の明るさの変化に応じて明るさの補正用データを補正することにより、プレゼンテーション等の実行中においても、プレゼンテーション画像等の通常の画像の表示を中断したり、キャリブレーション画像を表示することなく、視環境の変化に応じて適切な明るさの画像を表示することができる。
【００１８】
また、前記画像処理方法において、前記表示外領域は、前記被表示領域の上部の表示外領域であってもよい。
【００１９】
これによれば、プレゼンターの手等が位置することの少ない被表示領域の上部の表示外領域を用いることにより、ノイズの影響を低減し、より正確に明るさの補正を行うことができる。
【００２０】
【発明の実施の形態】
以下、本発明を、投写型表示装置の一種である液晶プロジェクタを用いた画像表示システムに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２１】
（システム全体の説明）
図１は、本実施の形態の一例に係る画像表示システムの概略説明図である。
【００２２】
スクリーン１０のほぼ正面に設けられたプロジェクタ２０は、所定のプレゼンテーション画像を投写する。プレゼンター３０は、スクリーン１０上の被表示領域である画像表示領域１２の画像の所望の位置をレーザーポインタ５０から投射したスポット光７０で指し示しながら、第三者に対するプレゼンテーションを行なう。
【００２３】
このようなプレゼンテーションを行う場合、環境光８０によって画像表示領域１２の画像の見え方は大きく異なってしまう。例えば、同じ白を表示する場合であっても、環境光８０が異なれば、明るい白に見えたり、暗い白に見えたりする。
【００２４】
このため、プロジェクタ２０は、プレゼンテーション画像を投写する前に、所定の階調ごとに所定の色（例えば、ＲＧＢ表示の場合、Ｒ色、Ｇ色、Ｂ色、Ｗ色）のキャリブレーション（校正用）画像を表示し、ＣＣＤセンサー４１７でキャリブレーション画像をセンシング（測定）して視環境を把握し、視環境の影響に応じて画像の補正用データを補正して画像を表示している。
【００２５】
しかし、長時間にわたるプレゼンテーションを行う場合、環境光８０が変化してしまい、最初に生成された補正用データでは、実際の視環境に適合しなくなっている場合もある。
【００２６】
実際の視環境に適合していない補正用データを用いて画像を補正した場合、画像の明るさ等を適切に再現することができず、見づらい画像となってしまう。
【００２７】
そこで、本実施の形態では、スクリーン１０上の画像表示領域１２の周囲の表示外領域の明るさの変化に応じて補正用データを補正する手法を採用している。
【００２８】
次に、このような機能を実現するためのプロジェクタ２０内の画像処理部の機能ブロックについて説明する。
【００２９】
図２は、本実施形態の一例に係るプロジェクタ２０内の画像処理部の機能ブロック図である。
【００３０】
画像処理部は、ＲＧＢの各信号を入力する入力信号処理部４０１と、色制御処理部４２２と、補正部４３２と、出力信号処理部４０５と、補正表示手段の一部として機能するＬ／Ｖ（ライトバルブ）駆動部４０６とを含んで構成されている。
【００３１】
また、入力信号処理部４０１は、Ｒ１、Ｇ１、Ｂ１の各アナログ映像信号をＲ２、Ｇ２、Ｂ２の各デジタル映像信号に変換するＡ／Ｄ変換部４４０を含んで構成されている。
【００３２】
また、色制御処理部４２２は、補正表示手段の一部として機能し、画像の明るさの補正に用いられる補正用データの１種である１Ｄ−ＬＵＴ（１次元ルックアップテーブル）記憶部４０４を含んで構成されている。
【００３３】
また、補正部４３２は、センサー部４１０と、センサー部４１０からの環境情報に基づき、被表示領域と表示外領域とを判別する領域判別部４５０と、表示外領域の明るさの変化を導出する明るさ変化導出部４６０と、階調補正パラメータを導出する階調補正パラメータ導出部４７０と、デバイスプロファイル記憶部４８０と、補正用データ生成手段であって１Ｄ−ＬＵＴデータを生成する１Ｄ−ＬＵＴ生成部４９０とを含んで構成されている。
【００３４】
また、視環境を把握するセンサー部４１０は、スクリーン１０をセンシングするＣＣＤセンサー４１７を含んで構成され、センシング結果に基づき環境情報を出力する。なお、本実施の形態では、環境情報としてＸＹＺ値（Ｘ１、Ｙ１、Ｚ１）を用いている。
【００３５】
（処理の流れ）
次に、これらの各部を用いた画像処理の流れについて説明する。
【００３６】
図３は、本実施形態の一例に係る画像処理の流れを示すフローチャートである。
【００３７】
まず、プロジェクタ２０は、初期状態を把握する（ステップＳ２）。具体的には、プロジェクタ２０は、キャリブレーション画像をスクリーン１０に投写表示し、センサー部４１０からの環境情報に基づき、初期状態を把握する。
【００３８】
ここで、より具体的な初期状態把握の処理の流れについて説明する。
【００３９】
図４は、本実施形態の一例に係る初期状態把握の処理の流れを示すフローチャートである。
【００４０】
プロジェクタ２０は、キャリブレーション画像提示部４０７からの第１の階調の画像信号（Ｒｄ、Ｇｄ、Ｂｄ）を、色制御処理部４２２で補正してＬ／Ｖ駆動部４０６で液晶ライトバルブを駆動して第１の階調のキャリブレーション画像を投写表示する（ステップＳ１２）。
【００４１】
そして、ＣＣＤセンサー４１７は、当該キャリブレーション画像をセンシングする（ステップＳ１４）。また、センサー部４１０は、当該センシング結果に基づき第１の環境情報を領域判別部４５０に出力する。
【００４２】
プロジェクタ２０は、キャリブレーション画像提示部４０７からの第２の階調の画像信号（Ｒｄ、Ｇｄ、Ｂｄ）を、色制御処理部４２２で補正してＬ／Ｖ駆動部４０６で液晶ライトバルブを駆動して第２の階調のキャリブレーション画像を投写表示する（ステップＳ１６）。
【００４３】
そして、ＣＣＤセンサー４１７は、当該キャリブレーション画像をセンシングする（ステップＳ１８）。また、センサー部４１０は、当該センシング結果に基づき第２の環境情報を領域判別部４５０に出力する。
【００４４】
領域判別部４５０は、第１および第２の環境情報に基づき、被表示領域と表示外領域とを判別する（ステップＳ２０）。具体的には、領域判別部４５０は、各画素ごとに第１および第２の環境情報（ＸＹＺ値）の差分をとり、各画素の差分値が所定のしきい値以下の領域を表示外領域と判別し、所定のしきい値を超える領域を被表示領域と判別する。
【００４５】
そして、領域判別部４５０は、被表示領域と表示外領域の位置情報を記憶する（ステップＳ２２）。
【００４６】
また、領域判別部４５０は、表示外領域の第２の環境情報（Ｘ２、Ｙ２、Ｚ２。第１の環境情報であってもよい。）を明るさ変化導出部４６０に出力する（ステップＳ２４）。
【００４７】
この場合、表示外領域として被表示領域である画像表示領域１２の上部のスクリーン１０の領域を用いることが好ましい。
【００４８】
なぜなら、図１に示すように、画像表示領域１２の左右の領域や下部の領域では、ＣＣＤセンサー４１７がプレゼンター３０やレーザーポインター５０やその影をセンシングしてしまい、環境情報にノイズが入り込んでしまう恐れがあるからである。
【００４９】
また、領域判別部４５０は、第１および第２の環境情報（Ｘ３、Ｙ３、Ｚ３）を階調補正パラメータ導出部４７０に出力する。
【００５０】
階調補正パラメータ導出部４７０は、第１および第２の環境情報に基づき、各階調の平均輝度値を演算する（ステップＳ２６）。ここで、低階調の平均輝度値をＬ（Ｉｍｉｎ）、高階調の平均輝度値をＬ（Ｉｍａｘ）とする。
【００５１】
デバイスプロファイル記憶部４８０は、理想状態での上記低階調の平均輝度値（Ｌ０（Ｉｍｉｎ））および理想状態での上記高階調の平均輝度値（Ｌ０（Ｉｍａｘ））を階調補正パラメータ導出部４７０に転送する。
【００５２】
そして、階調補正パラメータ導出部４７０は、初期状態での各階調の平均輝度値（Ｌ（Ｉｍｉｎ）およびＬ（Ｉｍａｘ））および理想状態での各階調の平均輝度値（Ｌ０（Ｉｍｉｎ）およびＬ０（Ｉｍａｘ））に基づき、階調補正パラメータαを演算する（ステップＳ２８）。
【００５３】
なお、理想状態での各階調の平均輝度値（Ｌ０（Ｉｍｉｎ）およびＬ０（Ｉｍａｘ））は、デバイスプロファイル記憶部４８０が階調補正パラメータ導出部４７０に転送する。
【００５４】
また、この場合の具体的な演算式としては、α＝（Ｌ０（Ｉｍａｘ）／Ｌ０（Ｉｍｉｎ））／（Ｌ（Ｉｍａｘ）／Ｌ（Ｉｍｉｎ））−１を用いる。
【００５５】
そして、補正用データ生成手段として機能する１Ｄ−ＬＵＴ生成部４９０は、階調補正パラメータ導出部４７０からの階調補正パラメータαに基づき、１Ｄ−ＬＵＴデータを生成し、１Ｄ−ＬＵＴ記憶部４０４に転送する（ステップＳ３０）。
【００５６】
このようにして初期状態の把握処理が行われる。
【００５７】
そして、プレゼンテーション画像を表示するための画像信号（Ｒ１、Ｇ１、Ｂ１）が入力された入力信号処理部４０１は、Ａ／Ｄ変換部４４０を用いて当該画像信号をデジタル形式の画像データ（Ｒ２、Ｇ２、Ｂ２）に変換する。
【００５８】
また、タイマー部４３４は、プレゼンテーション開始後、常に所定時間が経過したかどうかを判定している（ステップＳ４）。
【００５９】
所定時間が経過していない場合、色制御処理部４２２は、入力信号処理部４０１からの画像データ（Ｒ２、Ｇ２、Ｂ２）と、生成されて１Ｄ−ＬＵＴ記憶部４０４に記憶された１Ｄ−ＬＵＴとに基づき、画像の明るさを補正し、補正後の画像データ（Ｒ３、Ｇ３、Ｂ３）を出力信号処理部４０５に出力する。
【００６０】
なお、実際には、色制御処理部４２２は、画像の明るさだけでなく、センサー部４１０からの環境情報に基づき、画像の色の補正も行う。
【００６１】
出力信号処理部４０５は、Ｄ／Ａ変換部４４１を用いてアナログ信号（Ｒ４、Ｇ４、Ｂ４）に変換する。
【００６２】
そして、Ｌ／Ｖ駆動部４０６は、アナログ信号（Ｒ４、Ｇ４、Ｂ４）に基づき液晶ライトバルブを駆動する。
【００６３】
このようにしてプロジェクタ２０は、プレゼンテーション画像を投写表示する（ステップＳ８）。
【００６４】
また、タイマー部４３４は、プレゼンテーション開始後、所定時間が経過したと判定した場合、階調補正パラメータ導出部４７０に１Ｄ−ＬＵＴを更新させるために、制御信号をセンサー部４１０に出力する。
【００６５】
次に、１Ｄ−ＬＵＴ更新処理（ステップＳ６）について説明する。
【００６６】
図５は、本実施形態の一例に係る１Ｄ−ＬＵＴ更新の処理の流れを示すフローチャートである。
【００６７】
センサー部４１０は、タイマー部４３４からの制御信号に基づき、スクリーン１０をセンシングする（ステップＳ３２）。
【００６８】
また、明るさ変化導出部４６０は、センサー部４１０からの新たにセンシングされた環境情報（Ｘ１、Ｙ１、Ｚ１）に基づく領域判別部４５０からの表示外領域の環境情報（Ｘ２、Ｙ２、Ｚ２）と、ステップＳ２４で記憶した初期状態の表示外領域の第２の環境情報とに基づき、各画素の輝度値の比の平均値ｇを演算する（ステップＳ３４）。
【００６９】
また、階調補正パラメータ導出部４７０は、初期状態のオフセットｂを演算する（ステップＳ３６）。階調補正パラメータ導出部４７０は、具体的には、Ｌ（Ｉｍｉｎ）＝ａ（Ｉｍｉｎ／２５５）γ＋ｂと、Ｌ（Ｉｍａｘ）＝ａ（Ｉｍａｘ／２５５）γ＋ｂとの連立方程式からオフセットｂを演算する。
【００７０】
なお、γはガンマ値であり、定数である。また、環境光の影響がない場合にはオフセットｂ＝０となる。
【００７１】
そして、階調補正パラメータ導出部４７０は、明るさ変化導出部４６０からの輝度値の比の平均値ｇと、初期状態のオフセットｂとに基づき、階調補正パラメータαを再演算する（ステップＳ３８）。
【００７２】
具体的な演算式としては、α＝（Ｌ０（Ｉｍａｘ）／Ｌ０（Ｉｍｉｎ））／（（Ｌ（Ｉｍａｘ）＋（ｇ−１）ｂ）／（Ｌ（Ｉｍｉｎ）＋（ｇ−１）ｂ））−１を用いる。すなわち、初回の階調補正パラメータと比較して明るさの変化分（（ｇ−１）ｂ）を考慮して新たな階調補正パラメータを求める。
【００７３】
そして、１Ｄ−ＬＵＴ生成部４９０は、新たな階調補正パラメータαに基づき、１Ｄ−ＬＵＴデータを再生成し、１Ｄ−ＬＵＴ記憶部４０４の１Ｄ−ＬＵＴを更新する（ステップＳ４０）。
【００７４】
そして、プロジェクタ２０は、ステップＳ４〜Ｓ８の処理をプレゼンテーションが終了するまで（ステップＳ１０）続行する。なお、タイマー部４３４は、２回目以降の所定時間経過の判定を、プレゼンテーション開始後５分ごと、といった所定時間間隔で行う。
【００７５】
以上のように、本実施の形態によれば、表示外領域の環境情報に基づき、１Ｄ−ＬＵＴ記憶部４０４の１Ｄ−ＬＵＴが更新されることにより、プレゼンテーション画像の表示を中断することなく、環境光８０が変化した場合でも視環境に応じた適切な明るさを再現できるようになる。
【００７６】
また、表示外領域として被表示領域の上部の領域を用いることにより、ノイズの影響を低減し、より正確に環境光８０の変化を把握することができる。
【００７７】
（ハードウェアの説明）
なお、上述した各部に用いるハードウェアとしては、例えば、以下のものを適用できる。
【００７８】
例えば、入力信号処理部４０１としては例えばＡ／Ｄコンバーター等、キャリブレーション画像提示部４０７としては例えば画像生成回路等、色制御処理部４２２としては、例えばＲＡＭ、ＣＰＵ等、出力信号処理部４０５としては例えばＤ／Ａコンバーター等、Ｌ／Ｖ駆動部４０６としては例えば液晶ライトバルブ駆動ドライバ等、補正部４３２としては例えば画像処理回路やＲＡＭ等、タイマー部４３４としては例えばシステムタイマー等を用いて実現できる。なお、これらの各部は回路のようにハードウェア的に実現してもよいし、ドライバのようにソフトウェア的に実現してもよい。
【００７９】
また、これら各部の機能を、情報記憶媒体５００からプロジェクタ２０のコンピュータにプログラムを読み取らせて実現してもよい。情報記憶媒体５００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００８０】
また、情報記憶媒体５００に代えて、上述した各機能を実現するためのプログラムを、伝送路を介してホスト装置等からダウンロードすることによって上述した各機能を実現することも可能である。すなわち、上述した各機能を実現するためのプログラムは、搬送波に具現化されるものであってもよい。
【００８１】
以上、本発明を適用した好適な実施の形態について説明してきたが、本発明の適用は上述した実施例に限定されない。
【００８２】
（変形例）
例えば、上述した実施例では、一定時間ごとにセンサー部４１０にセンシングさせたが、常にセンシングさせてもよい。この場合、センサー部４１０からの環境情報（Ｘ１、Ｙ１、Ｚ１）や、明るさ変化導出部４６０によって求められる平均値の比ｇ等の変化が大きい場合に、１Ｄ−ＬＵＴを更新すればよい。
【００８３】
もちろん、一定時間ごとや所定の変化があった場合だけでなく、常に、１Ｄ−ＬＵＴを更新したり、人の指示によって１Ｄ−ＬＵＴを更新することも可能である。
【００８４】
また、領域判別部４５０は、環境情報（Ｘ１、Ｙ１、Ｚ１）の差分に基づいて領域の判別を行ったが、環境情報から求められる輝度値の差分に基づいて判別を行うことも可能である。もちろん、差分ではなく、比率等の差異に基づいて判別を行ってもよい。
【００８５】
また、センサーとしては、ＣＣＤセンサー４１７だけでなく、ＣＭＯＳセンサー等を適用することも可能である。
【００８６】
また、上述したプロジェクタのような投写手段以外の表示手段で画像表示を行ってプレゼンテーション等を行う場合にも本発明を適用できる。このような表示手段としては、例えば、液晶プロジェクタのほか、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）、ＥＬ（Ｅｌｅｃｔｒｏ  Ｌｕｍｉｎｅｓｃｅｎｃｅ）、直視型液晶表示装置等のディスプレイ装置、ＤＭＤ（Ｄｉｇｉｔａｌ  Ｍｉｃｒｏｍｉｒｒｏｒ  Ｄｅｖｉｃｅ）を用いたプロジェクタ等が該当する。なお、ＤＭＤは米国テキサスインスツルメンツ社の商標である。
【００８７】
もちろん、プレゼンテーション以外にも、ミーティング、医療、デザイン・ファッション分野、営業活動、コマーシャル、教育、さらには映画、ＴＶ、ビデオ、ゲーム等の一般映像等における画像表示を行う場合にも本発明は有効である。
【００８８】
また、Ａ／Ｄ変換部４４０は入力信号（Ｒ１、Ｇ１、Ｂ１）がデジタル形式である場合には不要であり、Ｄ／Ａ変換部４４１も出力信号（Ｒ４、Ｇ４、Ｂ４）がデジタル形式でよい場合には不要である。これらは、適用する入力装置や出力装置によって必要に応じて適用することが好ましい。
【００８９】
なお、上述したプロジェクタ２０の画像処理部の機能は、単体の画像表示装置（例えば、プロジェクタ２０）で実現してもよいし、複数の処理装置で分散して（例えば、プロジェクタ２０とＰＣとで分散処理）実現してもよい。
【００９０】
また、上述した実施例では、明るさ情報を含む色情報として、ｘｙＹ（Ｙｘｙともいう。）を用いたが、例えば、Ｌａｂ、Ｌｕｖ、ＬＣｈ等を用いてもよい。
【００９１】
また、上述した環境情報としては、ｘｙＹのように色および明るさを表す値であってもよく、ΔｘΔｙΔＹのように色および明るさの補正量であってもよい。
【００９２】
さらに、上述した実施例では、前面投写型のプロジェクタを適用した例について説明したが、背面投写型のプロジェクタを適用することも可能である。
【図面の簡単な説明】
【図１】本実施形態の一例に係る画像表示システムの概略説明図である。
【図２】本実施形態の一例に係るプロジェクタ内の画像処理部の機能ブロック図である。
【図３】本実施形態の一例に係る画像処理の流れを示すフローチャートである。
【図４】本実施形態の一例に係る初期状態把握の処理の流れを示すフローチャートである。
【図５】本実施形態の一例に係る１Ｄ−ＬＵＴ更新の処理の流れを示すフローチャートである。
【符号の説明】
２０  プロジェクタ
８０  環境光
４０４  １Ｄ−ＬＵＴ記憶部
４０７  キャリブレーション画像提示部
４１０  センサー部
４１７  ＣＣＤセンサー
４２２  色制御処理部
４３２  補正部
４３４  タイマー部
４５０  領域判別部
４６０  明るさ変化導出部
４７０  階調補正パラメータ導出部
４８０  デバイスプロファイル記憶部
４９０  １Ｄ−ＬＵＴ生成部
５００  情報記憶媒体
【図１】
0003705180.tif 000002
【図２】
0003705180.tif 000003
【図３】
0003705180.tif 000004
【図４】
0003705180.tif 000005
【図５】
0003705180.tif 000006